(57)【要約】【課題】  使用者に最適な酸素富化空気を供給できる酸素富化機を提供することを目的とする。【解決手段】  使用者の個人情報に基づいて、出力する酸素富化空気の出力状態を決定する決定手段１６と、前記決定手段１６からの情報により、前記酸素富化空気の出力状態を制御する制御手段１４とを備え、前記使用者の個人情報に応じて、前記酸素富化空気の出力状態を変更可能な構成としたもので、制御手段１４が、使用者に最適な酸素富化空気となるように、酸素富化空気の状態を調節できるので使用性が向上する。【選択図】  図１
2005073994.tif 000002
【特許請求の範囲】
【請求項１】
使用者の個人情報に基づいて、出力する酸素富化空気の出力状態を決定する決定手段と、前記決定手段からの情報により、前記酸素富化空気の出力状態を制御する制御手段とを備え、前記使用者の個人情報に応じて、前記酸素富化空気の出力状態を変更可能な構成とした酸素富化機。
【請求項２】
使用者が個人情報を入力する個人情報入力手段を備え、前記入力された情報に基づいて、酸素富化空気の出力状態を、決定手段が決定する請求項１記載の酸素富化機。
【請求項３】
使用者の個人情報を計測する個人情報計測手段を備え、前記計測手段により計測された情報に基づいて、酸素富化空気の出力状態を、決定手段が決定する請求項１または２記載の酸素富化機。
【請求項４】
個人情報を記憶した記憶媒体と、前記記憶媒体に記憶されている情報を決定手段に伝える記憶媒体読み取り手段とを備え、前記記憶媒体に記憶されている情報に基づいて、酸素富化空気の出力状態を、決定手段が決定する請求項１または３記載の酸素富化機。
【請求項５】
個人情報を、使用者の体調に関するものとした請求項１〜４のいずれか１項に記載の酸素富化機。
【請求項６】
個人情報計測手段を、使用者の脈拍を測定する脈拍測定手段とした請求項３記載の酸素富化機。
【請求項７】
個人情報計測手段を、使用者の血圧を測定する血圧測定手段とした請求項３記載の酸素富化機。
【請求項８】
個人情報計測手段を、使用者の血流を測定する血流測定手段とした請求項３記載の酸素富化機。
【請求項９】
個人情報計測手段を、使用者の血糖値を測定する血糖値測定手段とした請求項３記載の酸素富化機。
【請求項１０】
個人情報計測手段を、使用者の血中乳酸値を測定する乳酸値測定手段とした請求項３記載の酸素富化機。
【請求項１１】
個人情報計測手段を、使用者の体温を測定する体温測定手段とした請求項３記載の酸素富化機。
【請求項１２】
個人情報計測手段を、使用者の脳波を測定する脳波測定手段とした請求項３記載の酸素富化機。
【請求項１３】
酸素富化空気の変更可能な出力状態を、供給濃度および／または供給量とした請求項１〜４のいずれか１項に記載の酸素富化機。
【発明の詳細な説明】
【技術分野】
【０００１】
本発明は、酸素富化手段を用いて得られる、いわゆる酸素富化空気を使用者に提供する酸素富化機に関するものである。
【背景技術】
【０００２】
従来の酸素富化機としては、空気中の酸素を濃縮して酸素富化空気を発生させる装置本体と、これに接続された酸素吐出口とを基本構成とし、例えばマイナスイオン発生手段を備えるなどして色々に展開されてきている（例えば、特許文献１参照）。
【特許文献１】特開平１０−２３４８３６号公報
【発明の開示】
【発明が解決しようとする課題】
【０００３】
しかしながら従来の構成には、使用者の体格や体調等には関与せず、あらかじめ設定された酸素濃度の空気を所定量供給する構成であり、使用者にとって必ずしも最適な酸素富化空気を供給できず、どの使用者にとっても高濃度すぎる条件にならないために、使用者の条件によっては十分な濃度の酸素富化空気を供給できず、効果を限定してしまう場合もあった。
【０００４】
本発明は上記課題を解決するもので、使用者に最適な酸素富化空気を供給できる酸素富化機を提供することを目的としたものである。
【課題を解決するための手段】
【０００５】
前記従来の課題を解決するために、本発明の酸素富化機は、使用者の個人情報に基づいて、出力する酸素富化空気の出力状態を決定する決定手段と、前記決定手段からの情報により、前記酸素富化空気の出力状態を制御する制御手段とを備え、前記使用者の個人情報に応じて、前記酸素富化空気の出力状態を変更可能な構成としたもので、制御手段が、使用者に最適な酸素富化空気となるように、酸素富化空気の状態を調節できるので、使用性が向上する。
【発明の効果】
【０００６】
本発明の酸素富化機は、使用者に最適な酸素富化空気を供給できる酸素富化機を提供できる。
【発明を実施するための最良の形態】
【０００７】
第１の発明は、使用者の個人情報に基づいて、出力する酸素富化空気の出力状態を決定する決定手段と、前記決定手段からの情報により、前記酸素富化空気の出力状態を制御する制御手段とを備え、前記使用者の個人情報に応じて、前記酸素富化空気の出力状態を変更可能な構成としたもので、制御手段が、使用者に最適な酸素富化空気となるように、酸素富化空気の状態を調節できるので使用性が向上する。
【０００８】
第２の発明は、使用者が個人情報を入力する個人情報入力手段を備え、前記入力された情報に基づいて、酸素富化空気の出力状態を、決定手段が決定するもので、使用者の個人情報に対応した最適な酸素富化空気を使用者に供給できるため使用性が向上する。
【０００９】
第３の発明は、使用者の個人情報を計測する個人情報計測手段を備え、前記計測手段により計測された情報に基づいて、酸素富化空気の出力状態を、決定手段が決定するもので、使用者の個人情報に対応した最適な酸素富化空気を使用者に供給できるため使用性が向上する。また、個人情報を自動的に計測してくれるので、より使用性が向上する。
【００１０】
第４の発明は、個人情報を記憶した記憶媒体と、前記記憶媒体に記憶されている情報を決定手段に伝える記憶媒体読み取り手段とを備え、前記記憶媒体に記憶されている情報に基づいて、酸素富化空気の出力状態を、決定手段が決定するもので、使用者の個人情報に対応した最適な酸素富化空気を使用者に供給できるため使用性が向上する。また、使用する度に入力や測定をしなくても、記憶媒体から記憶させてある情報を読み出すだけで決定手段が決定できるので、より使用性が向上する。
【００１１】
第５の発明は、個人情報を、使用者の体調に関するものとしたもので、使用者の体調に対応した最適な酸素富化空気を使用者に供給できるため使用性が向上する。また、酸素富化空気は使用者にリフレッシュ感を与える効果を有しているため、個人情報が、使用者の体調に関するものであると、より使用性が向上する。
【００１２】
第６の発明は、個人情報計測手段を、使用者の脈拍を測定する脈拍測定手段としたもので、酸素富化空気は使用者にリフレッシュ感を与える効果を有しているため、個人情報が、使用者の体調に関するものであることより、使用性が向上する。
【００１３】
第７の発明は、個人情報計測手段を、使用者の血圧を測定する血圧測定手段としたもので、酸素富化空気は使用者にリフレッシュ感を与える効果を有しているため、個人情報が、使用者の体調に関するものであることより、使用性が向上する。
【００１４】
第８の発明は、個人情報計測手段を、使用者の血流を測定する血流測定手段としたもので、酸素富化空気は使用者にリフレッシュ感を与える効果を有しているため、個人情報が、使用者の体調に関するものであることより、使用性が向上する。
【００１５】
第９の発明は、個人情報計測手段を、使用者の血糖値を測定する血糖値測定手段としたもので、酸素富化空気は使用者にリフレッシュ感を与える効果を有しているため、個人情報が、使用者の体調に関するものであることより、使用性が向上する。
【００１６】
第１０の発明は、個人情報計測手段を、使用者の血中乳酸値を測定する乳酸値測定手段としたもので、酸素富化空気は使用者にリフレッシュ感を与える効果を有しているため、個人情報が、使用者の体調に関するものであることより、使用性が向上する。
【００１７】
第１１の発明は、個人情報計測手段を、使用者の体温を測定する体温測定手段としたもので、酸素富化空気は使用者にリフレッシュ感を与える効果を有しているため、個人情報が、使用者の体調に関するものであることより、使用性が向上する。
【００１８】
第１２の発明は、個人情報計測手段を、使用者の脳波を測定する脳波測定手段としたもので、酸素富化空気は使用者にリフレッシュ感を与える効果を有しているため、個人情報が、使用者の体調に関するものであることより、使用性が向上する。
【００１９】
第１３の発明は、酸素富化空気の変更可能な出力状態を、供給濃度および／または供給量としたもので、特に酸素富化空気の供給濃度および／または供給量を、使用者の個人情報に対応するように変更して、最適な酸素富化空気とすることで、使用性が向上する。
【００２０】
以下、本発明の実施の形態について、図面を参照しながら説明する。なお、この実施の形態によって本発明が限定されるものではない。
【００２１】
（実施の形態１）
本実施の形態を、図１から図４を用いて構成を説明する。本体１の内部には、酸素の濃度を高め、いわゆる酸素富化空気を発生する、酸素富化手段２が設けている。ここでは、酸素富化膜ユニット等の酸素富化部（以下、「酸素富化膜ユニット」と称す）３が設けられ、前記酸素富化膜ユニット３は有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施例の酸素富化膜ユニット２を通過後の酸素富化空気においては、酸素が占める割合が約３０％（窒素約７０％）となる。
【００２２】
また、本体１の背面に設けた吸気口７から本体１内に外気を吸引し、酸素富化膜ユニット３に送った後、酸素富化膜を通過した空気を除いた外気を、本体１の側面に設けた排気口８から外部に排出するためのモーターファン等の送風部（以下、「ファン」と称す）４を有している。５はポンプ等の吸引手段（以下、「ポンプ」と称す）で、酸素富化膜ユニット３の下方に設けられ、酸素富化膜を通過した後の酸素富化空気を、本体１の側面に設けられた吐出口部１１に送り、さらに吐出口部１１から使用者に酸素富化空気を供給するための酸素富化空気供給手段１２に送り込んでいる。
【００２３】
また、前記ポンプ５には、酸素富化膜の通過圧損に対抗して酸素富化空気の流量を確保するために運転時の圧力が高いベローズポンプが用いられている。これら酸素富化膜ユニット３、ファン４およびポンプ５から酸素富化手段２を構成する。また、吸気口７には外気に含まれる塵埃を除去するための吸気フィルター８を設けており、外気は吸気口７から吸気フィルター８を通過後、酸素富化膜ユニット３へ吸引経路９を通って供給される。このときの酸素富化空気の供給量はポンプ５の出力によって制御することができる。
【００２４】
また、酸素富化空気の酸素濃度は酸素富化膜ユニット３を多段構成にし、さらに通常の空気との混合比率を調整できるようにし、吸引した外気を酸素富化膜ユニット３にどれだけ通過させ、通常空気とどれだけ混合させるかを調整する電磁弁などからなる調整手段１３を備え、ポンプ５と調整手段１３への出力の制御手段１４によって行い、酸素富化空気の濃度および供給量を調整する。また、個人情報を入力する個人情報入力手段１５とこの情報を基づき使用者に最適な酸素富化空気の酸素濃度および／または供給量（風量や風速、またはそれらを組み合わせたもの）を決定するマイクロコンピュータなどで構成される決定手段１６があり、決定した最適の値になるように制御手段１５へ信号を出力し、酸素富化空気の最適濃度および供給量を使用者に供給できる。
【００２５】
次に上記構成に基づく本実施の形態の動作について説明する。
【００２６】
使用者は個人情報入力手段１５によって体型情報、年齢、性別などを入力する。入力された個人情報から決定手段１６はその使用者の体型、年齢、性別に応じて酸素の摂取量の適量との関連から、酸素富化空気の濃度および／または供給量の適量を決定し、その状態となるように制御手段１４へ信号を送る。
【００２７】
制御手段１４は、受けた信号に基づき運転を開始する。運転が開始されると、ファン４及びポンプ５に電力が供給される。このとき、ポンプ５への電力供給量が制御手段１４からの出力で決定され、外気が本体１に設けた吸気口７より吸気され、塵埃が除去する吸気フィルター８を介し、さらに吸気経路９を通過して酸素富化膜ユニット３へ入る。このとき、ポンプ５への供給電力が大きいほど外気の吸引量を増加、すなわち酸素富化空気の供給量を増加でき、制御手段１４からの信号によって使用者に適した供給量の酸素富化空気を酸素富化空気供給手段１２に送ることができる。
【００２８】
この酸素富化膜ユニット３を通る外気は、通過する際に酸素富化された空気となり、吐出口部１１を介し、酸素富化空気吐出手段１２に送られるが、図２に示すように酸素富化膜ユニット３は多段構成になっており、調整手段１３によって外気が通過する経路を変更できる。
【００２９】
図２では電磁弁１３ｂのみ開いているので、吸入された外気は酸素富化膜Ａ、Ｂ、Ｃ全てを通り、酸素濃度をもっとも高くする状態になっている。例えば、１３ａを開けば酸素富化膜Ａのみ通る経路になり濃度を抑えることができる。また、１３ｃを開けば酸素富化膜を通らない経路になるので、他の経路と混合することでさらに濃度を抑えることができる。制御手段１４からの信号によって調整手段１３は使用者に適した酸素濃度の酸素富化空気を酸素富化空気供給手段１２に送る。したがって、制御手段１４からの信号によって、ポンプ５の出力と調整手段１３による酸素富化膜ユニット３の出力が制御され、使用者に対して最適な酸素濃度および／または供給量の酸素富化空気を作って送り出すことができる。
【００３０】
なお、酸素富化空気を作成する手段、濃度、供給量を制御する手段はこの実施形態に限る必要はなく、濃度、供給量の制御ができればよい。
【００３１】
また、個人情報入力手段１５によって情報を得るかわりに、体型を測定する体重や脂肪率などを測定する個人情報計測手段１７の情報から決定手段１６が最適な酸素濃度および／または供給量の酸素富化空気を決定する方法もある。体型測定には体重計と同じ原理構成で測定すればよいが、体重計そのものから情報を通信などによって得てもよい。
【００３２】
また、この体型情報をメモリカードなどの第１の記憶媒体１８に記憶させ、記憶媒体読出し手段１９とを備え、使用する度に入力や測定をしなくても第１の記憶媒体１８から記憶させてある情報を読み出すだけで決定手段が決定できるようにし、使い勝手の向上を図ることもできる。さらに、情報の蓄積を行ってその変化も決定に加え、一時的な変動なども決定し、より効率的な酸素富化空気の摂取を図ることもできる。
【００３３】
また、使用者の体調を決定して最適な酸素濃度および／または供給量の酸素富化空気を
供給することで、より効果的に疲労回復やリフレッシュ効果を使用者に与えることができる。その手段としては振動センサーなどを利用した脈拍測定手段２０を用いてその脈拍値の絶対値及び変化値から使用者の体調を決定する方法が考えられる。
【００３４】
他にも圧力センサーなどを利用した血圧測定手段２１、超音波センサーなどを用いた血流測定手段２２、サーモグラフィーなどを用いた体温測定手段２３を用いる方法もある。またこれらを複合的に決定してより決定精度を高めるのもより正確さを向上できる。これらは、使用する前だけでなく使用中の変化に対しても即時対応でき、より効果的な酸素富化空気の供給を行うことができる。
【００３５】
なお、これらについても測定する手段や方法については何ら制限するものではなく、制御手段１４が制御する内容に対しては影響されない。
【００３６】
また、グルテストセンサーなどを用いて血糖値を測定する血糖値測定手段２５や電極等を用いて簡易的な血中乳酸値を測定する血中乳酸値測定手段２６によって個人の体調を所定の期間測定しつつ、その変化からその使用者にとって最適な酸素濃度および／または供給量の酸素富化空気を決定、供給することで、より効果的な酸素富化空気の供給を行うことができる。
【００３７】
また、この体調情報をメモリカードなどの第２の記憶媒体２７に記憶させ、使用する度に入力や測定をしなくても第２の記憶媒体２７から記憶させてある情報を読み出すだけで決定手段が決定できるようにし、使い勝手の向上を図ることもできる。さらに、情報の蓄積を行ってその変化も決定に加え、一時的な変動なども決定し、より効率的な酸素富化空気の摂取を図ることもできる。
【００３８】
また、使用者は個人情報に基づいて変更するのは、本実施の形態においては、酸素富化空気の濃度および／または供給量であるが、温度等も含む出力状態を変更することも可能である。
【産業上の利用可能性】
【００３９】
以上のように、本発明にかかる酸素富化機は、使用者の情報に基づいて最適な酸素富化空気を決定して供給することができるので、家庭で用いるだけでなく、疲労回復や集中力向上など高濃度酸素を効果的に利用できる施設、設備などにおいても適用できる。
【図面の簡単な説明】
【００４０】
【図１】本発明の実施の形態１における酸素富化機のシステムブロック図
【図２】同酸素富化機の部分構成概略図
【図３】同酸素富化機の側断面図
【図４】同酸素富化機の上断面図
【符号の説明】
【００４１】
２  酸素富化手段
１２  酸素富化空気供給手段
１４  制御手段
１５  個人情報入力手段
１６  決定手段
１７  個人情報計測手段
１８  第１の記憶媒体
２０  脈拍測定手段
２１  血圧測定手段
２２  血流測定手段
２３  体温測定手段
２５  血糖値測定手段
２６  血中乳酸値測定手段
２７  第２の記憶媒体
【図１】
2005073994.tif 000003
【図２】
2005073994.tif 000004
【図３】
2005073994.tif 000005
【図４】
2005073994.tif 000006